(57)【特許請求の範囲】
【請求項１】
長軸方向の各位置における断面積が異なる電子体温計が、開口部に対して、前記断面積が小さい側から挿入された場合に、前記電子体温計を収納する中空の収納ケースであって、
前記開口部に対して、前記電子体温計が、前記断面積が大きい側から挿入された場合に、前記電子体温計が接触することで、係止状態が解除される解除部と、
前記解除部により係止状態が解除されることで、前記電子体温計を保持する収納部に対して、新たな開口部を提供する開口機構と
を備えることを特徴とする収納ケース。
【請求項２】
前記開口機構は、前記収納部に対して開閉可能に取り付けられる開閉部であることを特徴とする請求項１に記載の収納ケース。
【請求項３】
前記開口機構は、前記収納部に対して着脱可能に取り付けられる着脱部であることを特徴とする請求項１に記載の収納ケース。
【請求項４】
前記解除部は、前記電子体温計の側面が接触することで、前記電子体温計の挿入方向と略直交する方向に動作する部材を有しており、該部材が動作することで、係止状態が解除されることを特徴とする請求項２または３に記載の収納ケース。
【請求項５】
前記解除部は、前記電子体温計の端面が接触することで、前記電子体温計の挿入方向と略平行な方向に動作する部材を有しており、該部材が動作することで、係止状態が解除されることを特徴とする請求項２または３に記載の収納ケース。
【請求項６】
前記解除部は、前記開口部に対して、前記電子体温計が、前記断面積が小さい側から挿入された場合には、前記電子体温計が前記収納ケースの最深位置まで挿入された場合であっても、前記電子体温計と接触することがないように構成されていることを特徴とする請求項１乃至５のいずれか１項に記載の収納ケース。
【請求項７】
長軸方向の各位置における断面積が異なる電子体温計が、開口部に対して、前記断面積が小さい側から挿入された場合に、前記電子体温計を収納する中空の収納ケースであって、
前記電子体温計は、前記断面積が最も大きい位置において、幅方向の長さと厚さ方向の長さとが異なるように構成されており、
前記収納ケースは、前記電子体温計の前記断面積が最も大きい位置が前記収納ケースに挿入された状態において、前記電子体温計が長軸回りに回動された場合に、前記電子体温計が前記収納ケースの内壁に接触し、これにより前記収納ケースの変形が起こるよう構成されており、
前記収納ケースは、前記収納ケースの前記変形が起こることで、係止状態が解除される解除部と、
前記解除部により係止状態が解除されることで、前記電子体温計を保持する収納部に対して、新たな開口部を提供する開口機構と
を備えることを特徴とする収納ケース。
【請求項８】
透明材料により形成されていることを特徴する請求項１乃至７のいずれか１項に記載の収納ケース。
【発明の詳細な説明】
【技術分野】
【０００１】
本発明は、電子体温計の収納ケースに関するものである。
【背景技術】
【０００２】
被検体の体温を測定するための体温計として、従来より、電子体温計が広く普及している。一般に、電子体温計は被検体の体表面に直接接触させて測定を行うため、清潔であることが望ましく、衛生面を考慮して収納ケース等に入れて保管されることも多い。
【先行技術文献】
【特許文献】
【０００３】
【特許文献１】特開２０１１−５８８５７号公報
【発明の概要】
【発明が解決しようとする課題】
【０００４】
しかしながら、電子体温計の収納ケースは、通常、電子体温計の外観形状に則した細長い形状を有している。このため、収納ケースの内壁を洗おうとした場合に、洗いにくいといった問題がある。【０００５】
これに対して、これまでは洗浄液等に入れ、つけ置き洗いを行うなどして対応してきたが、病院等の医療施設の場合、収納ケースには識別番号等が記載されたシールが貼り付けられていることも多く、長時間、洗浄液等につけておくことは好ましくない。このようなことから、内部を簡単に洗浄できる収納ケースが望まれている。【０００６】
本発明は上記課題に鑑みてなされたものであり、内部の洗浄が容易な電子体温計の収納ケースを提供することを目的とする。
【課題を解決するための手段】
【０００７】
本発明の１つの側面は、長軸方向の各位置における断面積が異なる電子体温計が、開口部に対して、前記断面積が小さい側から挿入された場合に、前記電子体温計を収納する中空の収納ケースに係り、前記収納ケースは、前記開口部に対して、前記電子体温計が、前記断面積が大きい側から挿入された場合に、前記電子体温計が接触することで、係止状態が解除される解除部と、前記解除部により係止状態が解除されることで、前記電子体温計を保持する収納部に対して、新たな開口部を提供する開口機構とを備える。
【発明の効果】
【０００８】
本発明によれば、内部の洗浄が容易な電子体温計の収納ケースを提供することが可能となる。【０００９】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１０】
添付図面は明細書に含まれ、その一部を構成し、本発明の実施の形態を示し、その記述と共に本発明の原理を説明するために用いられる。
【図１】図１は、電子体温計１００及び収納ケース１１０の外観構成を示す図である。
【図２】図２は、収納ケース１１０に対して、順方向で電子体温計１００を挿入した場合の内部の様子を示す図である。
【図３】図３は、収納ケース１１０に対して、順方向で電子体温計１００を挿入した場合の、軌跡を示す図である。
【図４】図４は、収納ケース１１０に対して、逆方向で電子体温計１００を挿入した場合の内部の様子を示す図である。
【図５】図５は、収納ケース１１０の洗浄用の開口機構を説明するための図である。
【図６】図６は、電子体温計１００及び収納ケース６１０の外観構成を示す図である。
【図７】図７は、収納ケース６１０に対して、順方向で電子体温計１００を挿入した場合の内部の様子を示す図である。
【図８】図８は、収納ケース６１０に対して、順方向で電子体温計１００を挿入した場合の、軌跡を示す図である。
【図９】図９は、収納ケース６１０の洗浄用の開口機構を説明するための図である。
【図１０】図１０は、収納ケース１０１０の洗浄用の開口機構を説明するための図である。
【図１１】図１１は、収納ケース１１１０の洗浄用の開口機構を説明するための図である。
【発明を実施するための形態】
【００１１】
以下、本発明の各実施形態について図面を参照しながら説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１２】
［第１の実施形態］
＜１．電子体温計及び収納ケースの外観構成＞
はじめに電子体温計及び収納ケースの外観構成について説明する。図１は、電子体温計１００と、該電子体温計１００を収納する中空の収納ケース１１０の外観構成を示す図である。
【００１３】
電子体温計１００において、１０１は本体部であり、演算制御部等の電子回路、電池（電源部）等が収納されている。
【００１４】
１０２は、ステンレス製の金属キャップで、温度を計測するためのサーミスタが内蔵されている。１０３は電源ＯＮ／ＯＦＦスイッチであり、１回押圧すると電源部がＯＮとなり、再度押圧すると電源部がＯＦＦとなる。１０４は表示部であり、被検者の体温を表示する。
【００１５】
１０５−１から１０５−４は、電子体温計１００の長軸方向のそれぞれの位置における断面形状を示している。１０５−３及び１０５−４に示すように、電子体温計１００は、表示部１０４を挟んで、尾部側の位置から先端側の位置までの領域において、概ね同じ断面形状（電子体温計１００の幅方向の長さＷのほうが、厚さ方向の長さＤよりも長い長方形の断面形状）を有しており、当該領域における断面積が、長軸方向の各位置における断面積の中で最も大きくなっている。
【００１６】
これに対して、１０５−１及び１０５−２に示すように、表示部１０４近傍における先端側の位置から、金属キャップ１０２にかけては、断面積が徐々に小さくなっていき、金属キャップ１０２近傍の本体部１０１の断面積が最も小さくなっている。
【００１７】
一方、収納ケース１１０において、１１１は収納部であり、電子体温計１００の先端側から矢印１２０方向に挿入された場合に、当該挿入された電子体温計１００を保持する。なお、以下では、電子体温計１００の先端側から矢印１２０方向に挿入する場合を、“順方向”と称することとする。
【００１８】
１１２は開閉部であり、収納部１１１に対して開閉可能に取り付けられている。開閉部１１２は、収納ケース１１０の内部を洗浄する場合に開閉され、収納部１１１に対して新たな開口部を提供する。１１３は、収納部１１１と開閉部１１２との境界を示している。本実施形態に係る収納ケース１１０では、境界１１３における収納部１１１と開閉部１１２との間の凹凸が極力生じないように構成されている。つまり、ユーザが、収納ケース１１０の外側から境界１１３に爪を引っ掛けるなどして無理やり開けることができない構成となっている。これは内部を洗浄する場合以外で、開閉部１１２が不用意に開閉されてしまうのを防ぐためである。
【００１９】
１１４は蓋部であり、収納ケース１１０に電子体温計１００を挿入して保管したり、保管された電子体温計１００を収納ケース１１０から取り出したりする際に、開閉される。
【００２０】
１１５は回動軸であり、蓋部１１４が開閉できるように、蓋部１１４を収納部１１１に対して回動自在に取り付ける機能を有している。
【００２１】
なお、収納ケース１１０内部の汚れ具合を確認できるようにするために、収納ケース１１０の収納部１１１、開閉部１１２、蓋部１１４、回動軸１１５等の材質は、不透明ではなく、透明材料（スケルトン状の材質）により形成されていてもよい。
【００２２】
＜２．収納ケースの内部構成＞
次に、収納ケース１１０の内部構成について説明する。図２は、電子体温計１００を順方向で収納ケース１１０に挿入した場合の内部の様子を示す図である（説明の便宜上、蓋部１１４は省略している）。
【００２３】
図２に示すように、収納ケース１１０の内部にはリブが設けられており、順方向で挿入する際、または、順方向で挿入した後の電子体温計１００の動きを規制している。
【００２４】
２０１及び２０２は、電子体温計１００の本体部１０１のうち、表示部１０４を挟んで、尾部側の位置から先端側の位置までの領域の動きを規制するリブである。また、２０３は、電子体温計１００の先端の金属キャップ１０２の動きを規制するリブである。
【００２５】
このように、リブ２０１〜２０３が配されていることで、電子体温計１００を順方向で収納ケース１１０に挿入する際、及び、順方向で収納ケース１１０に挿入した後において、電子体温計１００の動きが制限されるため、収納ケース１１０を振ったりした場合であっても、収納ケース１１０の内壁に電子体温計１００が衝突し、電子体温計１００が破損してしまうといった事態を回避することができる。
【００２６】
２１０は保持部であり、収納ケース１１０の開閉部１１２の閉状態を保持するために、開閉部１１２に設けられた係止部（詳細は後述）を係止したり、開閉部１１２を開状態にするために、当該係止部の係止状態を解除したりする（つまり、保持部２１０と係止部とにより、開閉部１１２の閉状態を解除するための解除部が形成されることとなる）。なお、保持部２１０は、収納ケース１１０の内壁に固定された固定部２１１と、固定部２１１に対して矢印２１３方向（矢印１２０と略直交する方向）にスライド動作可能な部材である可動部２１２とを備える。
【００２７】
＜３．保持部２１０の配置及び大きさの説明（その１）＞
次に、保持部２１０の配置及び大きさについて説明する。図３は、収納ケース１１０に対して、順方向で電子体温計１００を挿入した場合の、軌跡を示している。図３に示すように、収納ケース１１０に対して、電子体温計１００を斜めに挿入した場合であっても、収納ケース１１０の内壁に設けられたリブ２０１、２０２に対して、本体部１０１の表示部１０４を挟んで尾部側の位置から先端側の位置までの領域（つまり、断面積の最も大きい領域）が接触するため、電子体温計１００は、徐々に、収納ケース１１０の長軸方向に略平行な方向に修正されていく。
【００２８】
このとき、電子体温計１００の金属キャップ１０２は、図３に示すような軌跡を通ることとなる。ここで、保持部２１０は、電子体温計１００が順方向で挿入される際に、電子体温計１００の金属キャップ１０２及び本体部１０１のいずれとも接触することがないように、収納ケース１１０内の先端側の位置において、所定の厚さに収まるよう構成されている。
【００２９】
換言すると、保持部２１０は、電子体温計１００が順方向に挿入された際に、電子体温計１００と接触することがないような位置及び大きさで、収納ケース１１０内に設けられている。
【００３０】
＜４．保持部２１０の配置及び大きさの説明（その２）＞
次に、保持部２１０の配置及び大きさについて、電子体温計１００を逆方向で挿入した場合の本体部１０１との関係について説明する。
【００３１】
図４は、収納ケース１１０に対して、逆方向で電子体温計１００を挿入する場合の内部の様子を示した図である。図４の４Ａに示すように、電子体温計１００を逆方向で挿入した場合、リブ２０１及び２０２に対して、電子体温計１００の本体部１０１のうち、表示部１０４を挟んで尾部側の位置から先端側の位置までの領域が接触するため、電子体温計１００は、収納ケース１１０の長軸方向に対して、略平行に挿入されることとなる。
【００３２】
図４の４Ｂは、電子体温計１００が逆方向に挿入されることで、電子体温計１００の本体部１０１の尾部側面が、保持部２１０の可動部２１２に接触した様子を示している。上述したように、可動部２１２は、矢印２１３方向にスライド動作可能に構成されているため、電子体温計１００の本体部１０１の尾部側面の接触に伴って、矢印２１３方向にスライド動作する。
【００３３】
図４の４Ｃは、電子体温計１００が収納ケース１１０の最深位置まで挿入された様子を示している。図４の４Ｃに示すように、固定部２１１は、電子体温計１００が収納ケース１１０の最深位置まで挿入された状態でも、電子体温計１００の本体部１０１の尾部側面と干渉することがないように構成されている。また、電子体温計１００の本体部１０１の尾部側面により矢印２１３に押圧された可動部２１２は、固定部２１１内に収容されるように、スライド動作範囲が規定されている。
【００３４】
なお、本実施形態の収納ケース１１０は、電子体温計１００の本体部１０１の尾部側面により押圧されることで、可動部２１２が固定部２１１内に収容される位置までスライド動作した結果、開閉部１１２の係止部が固定部２１１に対して非係止状態となることで、開閉部１１２が開くように構成されているものとする（詳細は後述）。
【００３５】
＜５．開閉部の構成＞
次に、開閉部１１２の構成について説明する。図５は、収納ケース１１０の開閉部１１２の構成を説明するための図である。図５の５Ａは、収納ケース１１０の長軸方向のうち、保持部２１０が取り付けられた位置における断面を示す図である。
【００３６】
また、図５の５Ｂは、当該位置まで電子体温計１００が逆方向で挿入された様子を示している。図５の５Ｂに示すように、電子体温計１００の本体部１０１の尾部側面が接触し、可動部２１２が固定部２１１内に収容される位置までスライド動作することで、開閉部１１２の先端に取り付けられた係止部５００が矢印２１３方向に押圧される。この結果、固定部２１１によって係止されていた係止部５００が非係止状態となる。
【００３７】
ここで、収納部１１１に対して、開閉部１１２を回動自在に保持する回動軸５０１には、不図示のトーションばねが配されており、開閉部１１２を開方向に付勢しているものとする。
【００３８】
このため、係止部５００が固定部２１１に対して非係止状態となると、図５の５Ｃに示すように、開閉部１１２が開方向に回動することとなる。開閉部１１２が開状態となることで、収納ケース１１０に新たな開口部が提供され内部が露出するため、ユーザは、容易に収納ケース１１０の内部を洗浄することが可能となる。
【００３９】
なお、収納ケース１１０内部の洗浄が完了した後は、ユーザが、開閉部１１２を閉方向に回動させることで、再び、係止部５００が固定部２１１に係止されることとなり、開閉部１１２の閉状態が保持される（図５の５Ａ）。
【００４０】
以上の説明から明らかなように、本実施形態に係る収納ケース１１０は、電子体温計１００を順方向で挿入した場合には接触せず、逆方向で挿入した場合にのみ本体部１０１の尾部側面が接触するよう構成された保持部２１０を有しており、当該保持部２１０により、開閉部１１２の閉状態を保持させるよう構成した。
【００４１】
また、当該保持部２１０に電子体温計１００の本体部１０１の尾部側面が接触することで、開閉部１１２の閉状態が解除されるよう構成した。
【００４２】
更に、開閉部１１２と収納部１１１との境界における凹凸を極力なくし、開閉部１１２を、収納ケース１１０の外側から容易に開けることができないよう構成した。
【００４３】
この結果、収納ケース１１０の外側からの力では容易に開けられない一方で、電子体温計１００を逆方向に挿入しさえすれば簡単に開けることができる開閉部１１２を実現することが可能となった。
【００４４】
このように収納ケース１１０に、新たな開口部を提供することにより、ユーザは、収納ケース１１０の内部の洗浄を容易に行うことが可能となった。
【００４５】
［第２の実施形態］
上記第１の実施形態では、開閉部１１２を収納部１１１に対して回動自在に取り付ける構成としたが、本発明はこれに限定されず、着脱部として、収納部１１１に対して着脱自在に取り付ける構成としてもよい。
【００４６】
つまり、収納ケース１１０の内部を容易に洗浄することができるよう、収納ケースに新たな開口部を提供する開口機構であれば、開閉式であっても着脱式であってもよい。
【００４７】
［第３の実施形態］
上記第１及び第２の実施形態では、電子体温計１００の本体部１０１の尾部側面による、電子体温計１００の挿入方向と略直交方向の接触を利用して、開口機構を開閉または着脱させる構成としたが、本発明はこれに限定されない。例えば、電子体温計１００の本体部１０１の尾部端面による、電子体温計１００の挿入方向と略平行方向の接触を利用して、開口機構を開閉または着脱させる構成としてもよい。以下、本実施形態の詳細について説明する。
【００４８】
＜１．電子体温計及び収納ケースの外観構成＞
はじめに電子体温計及び収納ケースの外観構成について説明する。図６は、電子体温計１００及び収納ケース６１０の外観構成を示す図である。
【００４９】
図６において、電子体温計１００の外観構成は、上記第１の実施形態において図１を用いて説明した電子体温計１００の外観構成と同じであるため、ここでは説明を省略する。
【００５０】
また、収納ケース６１０の外観構成に示される各構成要素のうち、上記第１の実施形態において図１を用いて説明した収納ケース１１０と同様の構成要素については、同じ参照番号を付すこととし、ここでは、説明を省略する。
【００５１】
収納ケース６１０の外観構成と収納ケース１１０の外観構成との相違点は、着脱部６１２である。図６に示すように、着脱部６１２は、収納部１１１の先端側に設けられており、収納部１１１に対して着脱可能に取り付けられている。
【００５２】
なお、境界６１３は、収納ケース１１０の境界１１３と同様に、収納部１１１と着脱部６１２との間の凹凸が極力生じないように構成されているものとする。つまり、ユーザが、収納ケース６１０の外側から境界６１３に爪を引っ掛けるなどして無理やり取り外すことができないように構成されている。
【００５３】
なお、上記第１の実施形態と同様に、本実施形態においても、収納ケース６１０の内部の汚れが確認できるようにするために、収納ケース６１０の収納部１１１、着脱部６１２、蓋部１１４、回動軸１１５の材質は不透明ではなく、透明材料（スケルトン状の材質）により形成されていてもよい。
【００５４】
＜２．収納ケースの内部構成＞
次に、収納ケース６１０の内部構成について説明する。図７は、電子体温計１００を順方向で収納ケース６１０に挿入した場合の内部の様子を示す図である。
【００５５】
図７に示すように、収納ケース６１０の内部にはリブ２０１〜２０３が設けられており、順方向で挿入する際、及び、順方向で挿入した後の電子体温計１００の動きを規制する。
【００５６】
２０１及び２０２は、電子体温計１００の本体部１０１のうち、表示部１０４を挟んで尾部側の位置から先端側の位置までの領域の動きを規制するためのリブである。また、２０３は、電子体温計１００の先端の金属キャップ１０２の動きを規制するためのリブである。
【００５７】
このように、リブ２０１〜２０３が配されていることで、電子体温計１００を順方向で収納ケース６１０に挿入する際、及び、順方向で収納ケース６１０に挿入した後において、電子体温計１００の動きが制限されるため、収納ケース６１０を振ったりした場合であっても、収納ケース６１０の内壁に電子体温計１００が衝突し、電子体温計１００が破損してしまうといった事態を回避することができる。
【００５８】
７１０は保持部であり、収納ケース６１０の着脱部６１２の取り付け状態を保持するために、着脱部６１２に設けられた係止部７２０を係止する。また、着脱部６１２を取り外す際には、保持部７１０に係止された係止部７２０の係止状態が解除される（つまり、保持部７１０と係止部とにより、着脱部６１２の取り付け状態を解除するための解除部が形成されることとなる）。なお、係止部７２０は、着脱部６１２に設けられた支持部７２１と、支持部７２１に回動動作可能に支持され、保持部７１０に係止される部材である係止用の爪部７２２とを備える。なお、係止用の爪部７２２は、トーションばねを介して支持部７２１に支持されており、保持部７１０に係止された状態で保持部７１０を押圧する方向に付勢されているものとする。
【００５９】
＜３．保持部７１０、係止部７２０の配置及び大きさの説明（その１）＞
次に、保持部７１０及び係止部７２０の配置及び大きさについて説明する。図８は、収納ケース６１０に対して、順方向で電子体温計１００を挿入した場合の、軌跡を示している。図８に示すように、収納ケース６１０に対して、電子体温計１００を斜めに挿入した場合であっても、収納ケース６１０の内壁に設けられたリブ２０１、２０２に対して、本体部１０１の表示部１０４を挟んで尾部側の位置から先端側の位置までの領域（つまり、断面積の最も大きい領域）が接触するため、電子体温計１００は、徐々に、収納ケース６１０の長軸方向に略平行な方向に修正されていく。
【００６０】
このとき、電子体温計１００の金属キャップ１０２は、図８に示すような軌跡を通ることとなる。ここで、保持部７１０及び係止部７２０は、電子体温計１００が順方向で挿入される際に、電子体温計１００の金属キャップ１０２及び本体部１０１のいずれとも接触することがないように、収納ケース６１０内の先端側の位置において、所定の厚さに収まるように構成されている。
【００６１】
換言すると、保持部７１０及び係止部７２０は、電子体温計１００が順方向で挿入された際に、電子体温計１００と接触することがないような位置及び大きさで、収納部１１１内、及び着脱部６１２内に設けられている。
【００６２】
＜４．保持部７１０、係止部７２０の配置及び大きさの説明（その２）＞
次に、保持部７１０及び係止部７２０の配置及び大きさについて、電子体温計１００を逆方向に挿入した場合の本体部１０１との関係について説明する。
【００６３】
図９は、収納ケース６１０に対して、逆方向で電子体温計１００を挿入する場合の内部の様子を示した図である。図９の９Ａに示すように、電子体温計１００を逆方向で挿入した場合、リブ２０１及び２０２に対して、電子体温計１００の本体部１０１のうち、表示部１０４を挟んで尾部側の位置から先端側の位置までの領域が接触するため、電子体温計１００は、収納ケース６１０の長軸方向に対して、略平行に挿入されることとなる。
【００６４】
図９の９Ｂは、電子体温計１００が逆方向に挿入されることで、電子体温計１００の本体部１０１の尾部端面が、係止部７２０の係止用の爪部７２２に接触した様子を示している。上述したように、係止用の爪部７２２は支持部７２１により回動動作可能に支持されているため、電子体温計１００の逆方向の挿入に伴って、矢印９０１方向に回動動作する。この結果、係止用の爪部７２２が収納部１１１の保持部７１０に対して、非係止状態となる。
【００６５】
図９の９Ｃは、係止用の爪部７２２が保持部７１０に対して非係止状態となることで、着脱部６１２が収納部１１１に対して取り外し可能な状態となったため、ユーザが紙面下方向に着脱部６１２を引き出した様子を示している。
【００６６】
このように、本実施形態に係る収納ケース６１０は、電子体温計１００を逆方向に挿入した場合に、電子体温計１００の本体部１０１の尾部端面が接触し、係止用の爪部７２２が保持部７１０に対して非係止状態となるまで回動動作するよう構成されている。
【００６７】
以上の説明から明らかなように、本実施形態に係る収納ケース６１０は、電子体温計１００を順方向で挿入した場合には接触せず、逆方向で挿入した場合にのみ本体部１０１の尾部端面が接触するよう構成された係止部７２０を有しており、当該係止部７２０により、着脱部６１２の収納部１１１に対する取り付け状態を保持させる構成とした。
【００６８】
また、当該係止部７２０に電子体温計１００の本体部１０１の尾部端面が接触することで、着脱部６１２の取り付け状態が解除される構成とした。
【００６９】
更に、着脱部６１２と収納部１１１との境界における凹凸を極力なくし、収納ケース６１０の外側から容易に取り外すことができない構成とした。
【００７０】
これにより、収納ケース６１０の外側からの力では容易に取り外すことができない一方で、電子体温計１００を逆方向に挿入しさえすれば簡単に取り外すことができる着脱部６１２を実現することが可能となった。
【００７１】
このように収納ケース６１０に、新たな開口部を提供することにより、ユーザは、収納ケース６１０の内部の洗浄を容易に行うことが可能となった。
【００７２】
［第４の実施形態］
上記第３の実施形態では、着脱部６１２を収納部１１１に対して着脱可能に取り付ける構成としたが、本発明はこれに限定されず、開閉部として、収納部１１１に対して開閉自在に取り付ける構成としてもよい。
【００７３】
［第５の実施形態］
上記第１乃至第４の実施形態では、逆方向に挿入した電子体温計１００の本体部１０１の尾部側面または尾部端面が保持部２１０または係止部７２０に接触し、スライド動作または回動動作することで、保持状態が解除される構成としたが、本発明はこれに限定されない。
【００７４】
例えば、逆方向に挿入した電子体温計１００を、収納ケース内において回動させ、収納ケース内の内壁を押圧することによって収納ケースを変形させ、これにより、保持状態を解除する構成としてもよい。以下、本実施形態の詳細について説明する。
【００７５】
＜１．収納ケースの内部構成＞
図１０は、収納ケース１０１０の内部構成を示す図（紙面左側が側面から見た図、紙面右側が正面から見た図）であり、電子体温計１００を逆方向で収納ケース１０１０に挿入した場合の内部の様子を示している。
【００７６】
図１０の１０Ａに示すように、収納ケース１０１０の内部には、電子体温計１００の表示部１０４を挟んで尾部側の位置から先端側の位置までの領域の動きを規制するためのリブが配されておらず、電子体温計１００と、当該領域との間には、隙間が設けられている。
【００７７】
一方、収納ケース１０１０の先端には、リブ２０３が設けられており、電子体温計１００を順方向に挿入した場合に、電子体温計１００の先端の金属キャップ１０２の動きを規制するよう構成されている。
【００７８】
１０１１は保持部であり、収納ケース１０１０の着脱部１０１２の取り付け状態を保持するために、着脱部１０１２に設けられた係止部１０２０を係止する。また、着脱部１０１２を取り外す際には、保持部１０１１に係止された係止部１０２０の係止状態が解除される（つまり、保持部１０１１と係止部１０２０とにより、着脱部１０１２の取り付け状態を解除するための解除部が形成されることとなる）。
【００７９】
ここで、電子体温計１００は、幅方向の長さＷのほうが、厚さ方向の長さＤよりも長く構成されており、電子体温計１００の当該形状に沿うように、収納ケース１０１０も、上面及び下面の長さｈのほうが、側面の長さｖよりも長くなるように構成されている。また、保持部１０１１は収納部１１１の上面及び下面の内壁に取り付けられている。また、係止部１０２０は着脱部１０１２の上面及び下面の内壁に取り付けられている。
【００８０】
更に、上記第１乃至第４の実施形態と同様に、収納部１１１と着脱部１０１２との間には極力凹凸がないように構成されている。
【００８１】
図１０の１０Ｂは、収納ケース１０１０に対して、電子体温計１００を逆方向で挿入した後、電子体温計１００を収納ケース１０１０内において長軸回りに回動させた様子を示している。収納ケース１０１０の側面の長さｖに対して、電子体温計１００の幅方向の長さＷの方が長いため、収納ケース１０１０内において電子体温計１００を回動させると、図１０の１０Ｂに示すように、電子体温計１００の本体部１０１は、収納ケース１０１０の上面の内壁及び下面の内壁に接触する。
【００８２】
これにより、収納ケース１０１０の上面が上方向に変形し、下面が下方向に変形するため、収納ケース１０１０の上面と下面との間の距離が長くなる。この結果、保持部１０１１に係止されていた係止部１０２０が非係止状態となり、着脱部１０１２が取り外し可能な状態となる。
【００８３】
図１０の１０Ｃは、着脱部１０１２が取り外し可能な状態となった際に、ユーザが紙面左方向に着脱部１０１２を引き出すことで、着脱部１０１２が収納部１１１から取り外された様子を示している。
【００８４】
以上の説明から明らかなように、本実施形態に係る収納ケース１０１０では、電子体温計１００を逆方向で挿入し、かつ収納ケース１０１０内において回動することで、収納ケース１０１０を内側から押圧し、収納ケース１０１０を変形させることで、着脱部１０１２の取り付け状態を解除する構成とした。
【００８５】
また、着脱部１０１２と収納部１１１との境界における凹凸を極力なくし、収納ケース１０１０の外側から容易に取り外すことができない構成とした。
【００８６】
この結果、収納ケース１０１０の外側からの力では容易に取り外すことができない一方で、電子体温計１００を逆方向に挿入し、収納ケース１０１０内で回動しさえすれば、簡単に取り外すことができる着脱部１０１２を実現することが可能となった。
【００８７】
このように収納ケース１０１０に、新たな開口部を提供することにより、ユーザは、収納ケース１０１０の内部の洗浄を容易に行うことが可能となった。
【００８８】
［第６の実施形態］
上記第５の実施形態では、着脱部１０１２を収納部１１１に対して着脱可能に取り付ける構成としたが、本発明はこれに限定されず、開閉部として、収納部１１１に対して開閉自在に取り付ける構成としてもよい。
【００８９】
［第７の実施形態］
上記第５及び第６の実施形態では、収納ケースの先端を着脱または開閉させる構成としたが、本発明はこれに限定されず、例えば、収納ケースの中央領域を着脱または開閉させる構成としてもよい。
【００９０】
図１１は、中央領域が開閉可能な収納ケース１１１０の内部構成を示す図（紙面左側が側面から見た図、紙面右側が正面から見た図）であり、電子体温計１００を逆方向で収納ケース１１１０に挿入した場合の内部の様子を示している。
【００９１】
図１１の１１Ａにおいて、１１１１は保持部であり、収納ケース１１１０の開閉部１１１２の閉状態を保持するために、開閉部１１１２に設けられた係止部１１２０を係止する。
【００９２】
図１１の１１Ｂは、収納ケース１１１０に対して電子体温計１００を逆方向で挿入した後、電子体温計１００を収納ケース１１１０内において長軸回りに回動させた様子を示している。収納ケース１１１０の側面の長さｖに対して、電子体温計１００の幅方向の長さＷの方が長いため、収納ケース１１１０内において電子体温計１００を回動させると、図１１の１１Ｂに示すように、電子体温計１００の本体部１０１は、収納ケース１１１０の上面の内壁及び下面の内壁に接触する。
【００９３】
これにより、収納ケース１１１０が変形し、保持部１１１１に係止されていた係止部１１２０が非係止状態となる。ここで、収納部１１１に対して開閉部１１１２は、回動軸１１１３を介して回動自在に取り付けられているため、開閉部１１１２は開方向に移動する。図１１の１１Ｃは、開閉部１１１２が開方向に移動した様子を示している。
【００９４】
以上の説明から明らかなように、本実施形態に係る収納ケース１１１０では、電子体温計１００を逆方向で挿入し、かつ収納ケース１１１０内において回動させることで、収納ケース１１１０を内側から押圧し、収納ケース１１１０を変形させることにより、開閉部１１１２を開状態にする構成とした。
【００９５】
このように収納ケース１１１０に、新たな開口部を提供することにより、ユーザは、収納ケース１１１０の内部の洗浄を容易に行うことが可能となった。
【００９６】
［その他の実施形態］
本発明は上記実施の形態に制限されるものではなく、本発明の精神及び範囲から離脱することなく、様々な変更及び変形が可能である。従って、本発明の範囲を公にするために、以下の請求項を添付する。
【図１】
0006013590.tif 000002
【図２】
0006013590.tif 000003
【図３】
0006013590.tif 000004
【図４】
0006013590.tif 000005
【図５】
0006013590.tif 000006
【図６】
0006013590.tif 000007
【図７】
0006013590.tif 000008
【図８】
0006013590.tif 000009
【図９】
0006013590.tif 000010
【図１０】
0006013590.tif 000011
【図１１】
0006013590.tif 000012